Podtech/llm-jp-corpus-v4-ja_patent huggingface dataset:
(57)【要約】【課題】比較的広い表面積を有する調理板を備えた調理機器において、調理板の表面を広く使って調理を行う場合に、多くの被調理物を同時に均一に仕上げることができる調理機器を提供する。【解決手段】調理機器１は、表面が調理面３Ａとなる調理板３を備え、調理板３は、表面側の鋼材部分と裏面側の高熱伝導材部分とが圧着接合されたクラッド材からなり、高熱伝導材部分の内部に、加熱源４又は冷却源５が内蔵されている。【選択図】図２
2018110646.tif 000002
【特許請求の範囲】
【請求項１】
表面が調理面となる調理板を備えた調理機器であって、
前記調理板は、表面側の鋼材部分と裏面側の高熱伝導材部分とが圧着接合されたクラッド材からなり、
前記高熱伝導材部分の内部に、加熱源又は冷却源が内蔵されていることを特徴とする調理機器。
【請求項２】
前記加熱源は、電気ヒータであることを特徴とする請求項１記載の調理機器。
【請求項３】
前記冷却源は、冷媒配管であることを特徴とする請求項１記載の調理機器。
【請求項４】
前記高熱伝導材部分はアルミ又は銅からなることを特徴とする請求項１〜３のいずれか１項記載の調理機器。
【発明の詳細な説明】
【技術分野】
【０００１】
本発明は、調理機器に関するものである。
【背景技術】
【０００２】
加熱された調理板の上で被調理物を調理する調理機器は、餃子、目玉焼き、ステーキ、お好み焼きなどを調理する際に用いられる（下記特許文献１参照）。特に、業務用の調理機器は、グリドルやティルティングパンなどと呼ばれ、比較的広い面積を有する調理板を備え、一度の調理で多数の被調理物を加熱することができるようになっている。また、ブラストチラーのホテルパン等の冷却用途においても、鉄板の上に被調理物を載せて、一度の調理で多数の調理物を冷却する調理機器が知られている。
【先行技術文献】
【特許文献】
【０００３】
【特許文献１】特開２０００−２６２４１２号公報
【発明の概要】
【発明が解決しようとする課題】
【０００４】
前述した従来の調理機器における調理板は、鉄板（鋼材）であり、高い熱容量を有しているものの、熱伝導率が高くないため、調理板の広い表面積を均一温度に加熱又は冷却することが困難な問題がある。このため、業務用の調理などで調理板の表面を広く使って調理を行う場合には、不均一な温度で調理がなされるため、調理の仕上がりに差が出てしまい、多くの被調理物を同時に均一に仕上げることができない問題がある。
【０００５】
本発明は、このような問題に対処することを課題とするものである。すなわち、比較的広い表面積を有する調理板を備えた調理機器において、調理板の表面を広く使って調理を行う場合に、多くの被調理物を同時に均一に仕上げることができる調理機器を提供すること、などが本発明の課題である。
【課題を解決するための手段】
【０００６】
このような課題を解決するために、本発明の調理機器は、以下の構成を具備するものである。
【０００７】
表面が調理面となる調理板を備えた調理機器であって、前記調理板は、表面側の鋼材部分と裏面側の高熱伝導材部分とが圧着接合されたクラッド材からなり、前記高熱伝導材部分の内部に、加熱源又は冷却源が内蔵されていることを特徴とする調理機器。
【発明の効果】
【０００８】
このような特徴を有する本発明は、調理板上に被調理物を置いて加熱又は冷却を行う調理器において、調理板の表面を広く使って調理を行う場合に、多くの被調理物を同時に且つ均一に仕上げることができる。
【図面の簡単な説明】
【０００９】
【図１】本発明の実施形態に係る調理機器の全体構成を示した斜視図である。
【図２】本発明の実施形態に係る調理器の断面図である（（ａ）が加熱調理機器の例であり、（ｂ）が冷却調理器の例である）。
【発明を実施するための形態】
【００１０】
以下、図面を参照して本発明の実施形態を説明する。以下、異なる図における同一符号は同一機能の部位を示しており、各図における重複説明は適宜省略する。
【００１１】
図１に示すように、本発明の実施形態に係る調理機器１は、枠体２と調理板３とを備えている。調理機器１は、例えば、枠体２が天板２Ａと側壁２Ｂを備えており、天板２Ａの開口部２Ｃ内に調理板３が支持されている。枠体２による調理板３の支持は、断熱部材を介するか、或いは枠体２の支持部自体を断熱部材とすることが好ましい。
【００１２】
枠体２に支持される調理板３は、表面が調理面３Ａとなっており、例えば、図２（ａ），（ｂ）に示されるように、枠体２に支持されている。この調理板３は、クラッド材からなっており、表面側の第１板材部分３０と裏面側の第２板材部分３１とが圧着接合されている。
【００１３】
調理板３の第１板材部分３０は、鋼材からなる部分（鋼材部分）になっており、第２板材部分３１は、高熱伝導材からなる部分（高熱伝導材部分）になっている。ここで用いられる高熱伝導材は、アルミや銅などの熱伝導率の高い金属材料であるが、アルミと銅に限定されるものではない。
【００１４】
そして、図２（ａ）に示す例では、第２板材部分３１（高熱伝導材部分）の内部に、加熱源４である電気ヒータ４Ａが内蔵されている。この例では、電気ヒータ４Ａに通電することで、高熱伝導材からなる第２板材部分３１の全体が均一に加熱され、その第２板材部分３１と面接触する第１板材部分３０に第２板材部分３１の熱が全面同時に伝達することで、第１板材部分３０が全体的に均一に温度上昇する。
【００１５】
図２（ｂ）に示す例では、第２板材部分３１（高熱伝導材部分）の内部に、冷却源５である冷媒配管５Ａが内蔵されている。この例では、冷媒配管５Ａ内に冷媒（冷水など）を流すことで、高熱伝導材からなる第２板材部分３１の全体が均一に冷却され、その第２板材部分３１と面接触する第１板材部分３０に第２板材部分３１の冷熱が全面同時に伝達することで、第１板材部分３０が全体的に均一に温度低下する。
【００１６】
このような調理機器１によると、広い表面積を有する調理板３に多数の被調理物を載せて加熱又は冷却を行う場合に、広い調理面３Ａ全体をほぼ均一な温度にすることができるので、多数の被調理物の仕上がり時間を一定にすることができる。また、調理面３Ａとなる第１板材部分３０の表面は、鋼材（鉄板）であるので、一旦加熱又は冷却した温度状態を高い熱容量で維持することが可能になる。更には、金属コテやフライ返しを用いて被調理物を裏返す場合や、調理面３Ａ上で調理用のナイフとフォークなどを用いて被調理物を切り分ける場合などに、調理面３Ａの傷付きを最小限に抑えることができる。
【００１７】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００１８】
１：調理機器，２：枠体，２Ａ：天板，２Ｂ：側壁，２Ｃ：開口部，
３：調理板，３Ａ：調理面，
４：熱源，４Ａ：電気ヒータ，５：冷却源，５Ａ：冷媒配管
【図１】
2018110646.tif 000003
【図２】
2018110646.tif 000004
(57)【要約】      （修正有）【課題】放熱部材および伝熱シートを備えた照明装置の組み付け性向上を図る。【解決手段】発熱部品２１を有する回路基板（表示ユニット）２と、発熱部品２１から発生する熱を放散させる放熱部材１と、この放熱部材１と回路基板（表示ユニット）２との間に装着された伝熱シート３と、を備える。放熱部材１に伝熱シート３の装着方向を特定しする辺を有する取付溝１１を形成する。伝熱シート３は、放熱部材１の辺に対応する形状の辺を有する。【選択図】図１
2018110123.tif 000002
【特許請求の範囲】
【請求項１】
発熱部品を有する回路基板と、前記発熱部品から発生する熱を放散させる放熱部材と、この放熱部材と前記回路基板との間に装着された伝熱シートと、を備え、
前記放熱部材は、前記伝熱シートの装着方向を特定する辺を有する取付溝を有し、
前記伝熱シートは、前記装着方向を特定する辺に対応する形状を有する
ことを特徴とする照明装置。
【請求項２】
前記装着方向を特定する辺は、端部にいくほど幅狭となる凸または凹形状を有する
ことを特徴とする請求項１に記載の照明装置。
【請求項３】
前記装着方向を特定する辺は、対称な形状を有する
【発明の詳細な説明】
【技術分野】
【０００１】
本発明は、発熱部品を有する表示ユニットから発生する熱を外部に拡散するための放熱部材および伝熱シートを備えた照明装置に関する。
【背景技術】
【０００２】
従来、発熱部品を有する表示ユニットから発生する熱を外部に拡散するための放熱部材および伝熱シートを備えた照明装置において、伝熱シートの装着忘れや貼付位置のずれを確認できるようにする技術が、特許文献１に開示されている。
【先行技術文献】
【特許文献】
【０００３】
【特許文献１】特開２００６−３３０５８７号公報
【発明の概要】
【発明が解決しようとする課題】
【０００４】
しかしながら、特許文献１に開示されている技術は、貼付位置のずれを確認することはできるが、組み付け性において改善の余地があった。
【０００５】
本発明は、上記実情に鑑みてなされたものであり、伝熱シートの組み付け性がよい放熱部材を備えた照明装置を提供することを目的とする。
【課題を解決するための手段】
【０００６】
本発明に係る照明装置Ａは、
発熱部品２１を有する回路基板２と、前記発熱部品２１から発生する熱を放散させる放熱部材１と、この放熱部材１と前記回路基板２との間に装着された伝熱シート３と、を備え、
前記放熱部材１は、前記伝熱シート３の装着方向を特定する辺１１０を有する取付溝１１を有し、
前記伝熱シート３は、前記装着方向を特定する辺１１０に対応する形状を有する。
【０００７】
本発明に係る照明装置Ａの
前記装着方向を特定する辺１１０は、端部にいくほど幅狭となる凸または凹形状を有する
ことが好ましい。
【０００８】
本発明に係る照明装置Ａの
前記装着方向を特定する辺１１０は、対称な形状を有する
ことが好ましい。
【発明の効果】
【０００９】
本発明によれば、伝熱シートの組み付け性がよい放熱部材を備えた照明装置を提供できる。
【図面の簡単な説明】
【００１０】
【図１】本発明の実施形態に係る照明装置の表示ユニット構成図。
【図２】本発明の実施形態に係る照明装置の放熱部材の取付溝の上面図およびＢ−Ｂ断面図。
【図３】本発明の実施形態に係る照明装置の放熱部品の取付溝の変形例を示す図。
【発明を実施するための形態】
【００１１】
以下、添付図面に基づいて、本発明の実施形態を説明する。
【００１２】
本発明に係る照明装置Ａは、放熱部材１と、ＬＥＤ（発熱部品）２１を実装した表示ユニット２と、伝熱シート３とを備える。
【００１３】
放熱部材１は、例えば、アルミニウムなどの金属を金型鋳造したヒートシンクからなり、表示ユニット２を螺子固定するための螺子孔１０と、伝熱シート３を装着するための取付溝１１が形成されている。
【００１４】
放熱部材１と、表示ユニット２と、伝熱シート３には、それぞれ対応する螺子孔１０，２０，３０を有しており、放熱部材１の取付溝１１に伝熱シート３を貼り付けた後、表示ユニットのＬＥＤ２１が実装されている面の裏面を伝熱シート３に重ねて、放熱部材１に表示ユニット２が螺子固定される。このように、伝熱シート３を挟んで表示ユニット２が放熱部材１に螺子固定されることにより、放熱部材１と表示ユニット２とが互いに密着して接触熱抵抗を小さくして効率良く放熱される。
【００１５】
表示ユニット２は、例えば、ＬＥＤ（Light Emitting Diode）２１が実装された回路基板であって、フラットケーブル２２を介して電源供給されると、ＬＥＤ２１が光輝する配線が形成されている。
【００１６】
伝熱シート３は、熱伝導性や電気絶縁性に優れたシート状の樹脂からなり、放熱部材１に表示ユニット２を螺子で固定する際に、間に介在することで互いの密着性を高める効果を得るものである。
【００１７】
放熱部材１の取付溝１１は、図２（ａ）に示すように、端部にいくほど幅狭となる案内辺１１０を有する溝が形成されている。また、伝熱シート３は、この案内辺１１０に対応する形状を有し、伝熱シート３をこの取付溝１１の案内辺１１０に沿わせて、取付溝１１に装着される。
【００１８】
このように構成することで、伝熱シート３が取付溝１１に案内されて、放熱部材１の適切な位置に貼り付けることができる。
【００１９】
また、放熱部材１の取付溝１１は、図２（ｂ）に示すように、端部にいくほど溝が深くなるような緩やかな傾斜溝とすることで、伝熱シート３が案内辺１１０に案内されやすくなる。
【００２０】
また、案内辺１１０は、図３に示すように、端部にいくほど幅狭となる中心線Ｃで対称な形状（図３の（ａ））や、中心線Ｃで対称な凹形状（図３の（ｂ））や、中心線Ｃで対称な凸形状（図３の（ｃ））などの変形をしてもよい。
図３の形状は、それぞれ案内辺１１０へ伝熱シート３を沿わせると、案内溝１１の中央に伝熱シート３が案内される。
【００２１】
上述した照明装置Ａは、例えば、表示ユニット２が照射する光を背面に受けて画素単位で透過／不透過する液晶パネルと組み合わせた液晶照明装置に適用することができる。
また、照明装置Ａは、放熱部材１の一部が露出するように表示ユニット２を覆う筐体を備えて、表示ユニット２は発する熱を放熱部材１によって筐体外に放散する構成としてもよい
【００２２】
以上の説明では、本発明の理解を容易にするために、重要でない公知の技術的事項の説明を適宜省略した。
【符号の説明】
【００２３】
Ａ      ：照明装置
１      ：放熱部材
１０    ：螺子孔
１１    ：取付溝
１１０  ：案内辺
２      ：表示ユニット
２０    ：螺子孔
２１    ：ＬＥＤ（発熱部品）
２２    ：フラットケーブル
３      ：伝熱シート
３０    ：螺子孔
Ｃ      ：中心線
【図１】
2018110123.tif 000003
【図２】
2018110123.tif 000004
【図３】
2018110123.tif 000005
(57)【要約】【課題】ダッシュも出来るシューティングゲームを実施する事に関する。【解決手段】ダッシュで攻撃出来て動けて、点数を競い合ってゆくシューティングゲーム。【選択図】図１
2018015507.tif 000002
【特許請求の範囲】
【請求項１】
ダッシュ攻撃やボムやショット等を使って敵を倒してゆくゲーム。
【請求項２】
ダッシュとストップボタン。
【請求項３】
字幕、神偉人な化学者爺さん。コミカルファンキー。
【請求項４】
ダッシュには、グラビティ動きダッシュ。
【請求項５】
ダッシュには、通常、ゲージまでの間ダッシュ出来る。
【請求項６】
３分間ぐらい絶対に無敵で試せる体験の出来るゲーム。
【請求項７】
ダッシュコンボ制度を作る。
【請求項８】
両手でプレイ出来る位の難易度とそうすると点数の高さ。
【請求項９】
１０体目に倒した敵のｘ１００倍点数。
【請求項１０】
もこもこ面、敵ももこもこ。
【請求項１１】
オプションに網コース。ＩＲ（インターネットランキング）。画面が見え難い。
【請求項１２】
威力半分コース。ＩＲ。
【請求項１３】
判定デカいコース。ＩＲ。
【請求項１４】
全部オプションコース。ＩＲ。
【請求項１５】
早く倒すと点高い。
【請求項１６】
ボムを取ら無いと逆に点が高い等。難易度高しと簡単。
【請求項１７】
８方向ショットに拡張出来る。
【請求項１８】
面ごとコース。ＩＲ。
【請求項１９】
主人公の顔、はしたなくいやらしく無い顔。
【請求項２０】
敵、防御力アップコース。ＩＲ。
【請求項２１】
Ｎｅｔでお金で買うと、グラビティ少無く成り、ゲージも無い。
【請求項２２】
Ｎｅｔランキングでは、ＮＡＭＥを入れたりコメント３段が出来たりする。
【請求項２３】
面白かったコメントを採用。
【請求項２４】
写真アップ。
【請求項２５】
長文もＮｅｔに書ける、３行にも出来る。
【請求項２６】
弾幕の種類は３００個考える。
【発明の詳細な説明】
【技術分野】
【０００１】本発明は、ダッシュシューティングゲームに関する、諸々の付属発明。
【背景技術】
【０００２】近年、シューティングゲームが極まって来た。オーラ撃ちも画面上部でして居る。【０００３】図のＡ、Ｂ、Ｃ、Ｄ等に成って来る、シューティングゲームについて。
【発明の開示】
【発明が解決しようとする課題】
【０００４】従来では、ダッシュとかそれで攻撃すると云うゲームは無かった。【０００５】本発明は、ダッシュシューティングゲームをプレイする仕方について、また、オプション。
【課題を解決するための手段】
【０００６】ショット、ボム、ダッシュで攻撃して敵を倒してゆくシューティングゲームついて。
【発明を実施するための最良の形態】
【０００７】図の様なダッシュで攻撃出来てゆくシューテイングゲーム。
【図面の簡単な説明】
【０００８】
【図１】シューティングゲームのダッシュの攻撃の仕方について。
【符号の説明】
【０００９】Ａ  方向キーの方向。
Ｂ  自機主人公。
Ｃ  ダッシュの反対側の攻撃。
Ｄ  敵のやられ方。
【図１】
2018015507.tif 000003
(57)【要約】【課題】    本発明は爪楊枝を持ち出す際に、わざわざ楊枝を補給する手間がかかる市販の携帯用楊枝入れ等を身に着けなくても、手軽に携帯して使用できる楊枝を提供する。【解決手段】    ブックマッチの構造を最大限生かし、ブックマッチ型紙楊枝の本体１から紙楊枝２を切り離し、楊枝として使用するようにした。それに紙楊枝の先端が二角になっているため、尖った爪楊枝２本分の使用価値がある。また、更に応用形における紙楊枝３の部位は長さを２倍にして、それを中央から折り曲げることにより、その際にできる隙間ａに歯のゴミを溜めておけるＶ字型の紙楊枝にもなるようにした。【選択図】図１
2018015521.tif 000002
【特許請求の範囲】
【請求項１】
主にカート紙でできている、先端が二角ある棒状の紙を楊枝用途とし、ブックマッチ型に包装することを特徴とした、ブックマッチ型紙楊枝。
【請求項２】
紙楊枝部分を２倍の長さにし、中央から半分に折り曲げることによって、Ｖ字型に形成させた、請求項１に記載のブックマッチ型紙楊枝。
【発明の詳細な説明】
【技術分野】
【０００１】  本発明は、主にカート紙でできたブックマッチ型に形成したマッチを、紙における楊枝として従来の使用分野から用途を発展させた、紙を材質とした楊枝に関するものである。
【背景技術】
【０００２】  先の尖った木や竹でできた爪楊枝を携帯するには、主に市販された携帯用楊枝入れに自ら楊枝を補給して持ち出すか、はたまた箸と一緒の入れ物に忍ばせる等の方法しかなかった。
【先行技術文献】
【特許文献】
【０００３】
【特許文献１】  特開２００８−２６４１３３号  公報
【非特許文献】
【０００４】
【非特許文献１】  「株式会社  カンミ堂  フィルムふせんブックマッチタイプ」
【発明の概要】
【発明が解決しようとする課題】
【０００５】  楊枝を持ち出す道具としては、主に携帯用楊枝入れがあるにはあるが、わざわざ楊枝のためだけに小道具を用いることは、余程楊枝に固執していない限り日常生活の営みをしている中で面倒であり、且つ負担でもある。【０００６】  また、木や竹で製造された尖った爪楊枝だと、使用する際、不意に歯や歯茎に傷をつけてしまうこともある。
【課題を解決するための手段】
【０００７】  本発明は、本来あるブックマッチの構造を最大限生かして、持ち出しに面倒な楊枝を手軽に携帯しやすくした。また、楊枝の材質が紙であることで、使用するにあたって尖った木や竹で製造されたものと比較し、歯や歯茎に傷をつける心配も軽減する。更に、紙楊枝の形状は先端が二角を有していることにより、両角を利用すれば通常の尖った爪楊枝２本分の使用価値がある。【０００８】  併せて使い勝手を増幅させた応用形として、紙楊枝の部位を２倍の長さにしてそれを中央から折り曲げた構成をした、形状がＶ字型の紙楊枝も提供する。これによりＶ字によってできる隙間に歯に付着した食べかすを、人目に晒さず溜めておきつつ使用できる。
【発明の効果】
【０００９】  本発明により、常に爪楊枝を補給しなければならない携帯用楊枝入れを身に着けなくても、安易に楊枝を持ち出すことが可能になった。
【図面の簡単な説明】
【００１０】
【図１】本発明のブックマッチ型紙楊枝の全体の斜視図である。
【図２】本発明における使用形態の正面図である。
【図３】本発明における応用形のブックマッチ型紙楊枝の全体の斜視図である。
【図４】応用形のブックマッチ型紙楊枝における使用形態の立体的斜視図である。
【発明を実施するための形態】
【００１１】  従来あるブックマッチの使用方法と同様に、本体から紙楊枝部分を切り離して楊枝用途として使用するものである。
【実施例】
【００１２】  使用する際の特徴として、本発明の紙楊枝２は先端が二角になっているので、両方の角を使用すれば尖った爪楊枝の２本分の使用価値もある。【００１３】  また、本発明の応用形における紙楊枝３については、形状がＶ字型になっていることで使用時にできる隙間ａに、歯に付着した食べかすを人目に晒すことなく溜めておきつつ使用できる。
【産業上の利用可能性】
【００１４】  煙草の消費が激減している時代背景下において、それに付随するマッチの消費も当然ながら激減しており、ブックマッチの製造過程とほぼ同様な本発明により、マッチ業界に一石を投じようとするものである。
【符号の説明】
【００１５】  １  ブックマッチ型紙楊枝の本体
２  紙楊枝
３  応用形における紙楊枝
ａ  応用形における紙楊枝の使用時にできる隙間
【図１】
2018015521.tif 000003
【図２】
2018015521.tif 000004
【図３】
2018015521.tif 000005
【図４】
2018015521.tif 000006
(57)【要約】【課題】従来、洗濯・乾燥機から取り出した衣類にはしわができる為、しわを除去するにはアイロン掛けするか、脱水後に（乾燥前に）取り出し、手で叩いたり伸ばしながら干すしかなかった。そこで、あらかじめ衣類に装着し、洗濯・乾燥機にかけるだけで、しわが防止できる、衣類しわ防止具を提供する。【解決手段】本発明に係る衣類しわ防止具は、洗濯・乾燥機による不規則な激しい動作や高温に耐えうる発泡樹脂製シートを使用し、衣類の筒状部分あるいは胴体部分に合った形状を有して当該部分に挿入されるものであり、挿入箇所で衣類を折り畳めるよう前記シートにヒンジ溝を設けた。【選択図】図１
2018015544.tif 000002
【特許請求の範囲】
【請求項１】
洗濯・乾燥機による不規則な激しい動作や高温に耐えうる発泡樹脂製シートを使用し、衣類の筒状部分あるいは胴体部分に合った形状を有して当該部分に挿入されるものであり、挿入箇所で衣類を折り畳めるよう前記シートにヒンジ溝を設けた衣類しわ防止具。
【請求項２】
ズボンの足を通す部分に合った形状を有して当該部分に挿入されるものである請求項１に記載の衣類しわ防止具。
【請求項３】
前記シートに通気孔を設けた請求項１又は２に記載の衣類しわ防止具。
【発明の詳細な説明】
【技術分野】
【０００１】
本発明は、洗濯・乾燥機による衣類しわ防止具に関する。
【背景技術】
【０００２】
従来は洗濯・乾燥機による衣類しわはアイロン等で除去するか
【０００３】
脱水後に取り出して、しわを手で伸ばしながら干すしかなかった。
【発明の概要】
【発明が解決しようとする課題】
【０００４】
洗濯・乾燥機による衣類のしわが出来る点である。
特に細長い筒状部分（シャツの腕を通す部分やズボンの足を通す部分）が
ねじれたり、しわが出来る。
【課題を解決するための手段】
【０００５】
衣類しわ防止具を衣類のしわができる部分に合わせて切断し、
衣類の内側に通し装着する。
【０００６】
シャツには左右の腕を通す部分（肩部から袖口にかけて）や胴体部分（首から腰部にかけて）に通し装着する。
【０００７】
ズボンには左右の足を通す部分（股部から裾にかけて）に通し装着する。〔図３、図４〕
【０００８】
また、衣類しわ防止具と衣類（シャツの袖口や裾や襟元等、またはズボンの裾など）を固定〔図５、図１１〕し、
洗濯・乾燥機にかける。
【発明の効果】
【０００９】
衣類しわ防止具がズレたり抜け落ちたりする事なく、衣類のしわが防止できた。
【図面の簡単な説明】
【００１０】
【図１】衣類しわ防止具の平面図である。
【図２】（a）衣類しわ防止具の側面図である。（b）溝を設けることでヒンジ効果を示す側面図である。
【図３】衣類しわ防止具を衣類（ズボン）に装着する方法を示した平面図である。
【図４】衣類しわ防止具を衣類（ズボン）に装着した状態の平面図である。
【図５】〔図４〕のズボンの裾部を拡大し、固定具を装着した状態の平面図である。
【図６】固定具の平面図である。
【図７】固定具の側面図である。
【図８】衣類しわ防止具と固定具を樹脂製ホック鋲で装着する方法を示した側面図である。
【図９】衣類しわ防止具と固定具を樹脂製ホック鋲で装着した状態の側面図である。
【図１０】（a）取り外し可能な樹脂製ホック鋲オスの斜視図である。（b）取り外し可能な樹脂製ホック鋲メスの斜視図である。
【図１１】固定具で衣類しわ防止具と衣類を固定する方法を示した側面図である。
【発明を実施するための形態】
【００１１】
本発明の衣類しわ防止具は発泡樹脂製シートを使用し、
衣類に合わせてハサミやカッターナイフで簡単に切断でき、
洗濯・乾燥機による不規則で激しい動作や高温に耐えうる事ができる。
【００１２】
また通気孔〔図１〕を設ける事により乾燥を促進し、
衣類を固定する固定具を装着する穴としても利用する。
【００１３】
またヒンジ溝〔図２〕（a）を設ける事によりヒンジ効果〔図２〕（b）を得、
衣類に装着後に折り畳んでコンパクトにする事により洗濯・乾燥機に入れやすく、
かつ洗濯・乾燥機内でよく動く事で汚れ落ちも良く、乾燥も促進する。
使わない時はヒンジ溝で折り畳み、収納に便利である。
【００１４】
衣類しわ防止具と衣類を固定する為の固定具の装着に
取り外し可能な樹脂製ホック鋲を使用し、
衣類しわ防止具を他の衣類に使用する時など、固定具の位置を変える事ができる。
【００１５】
また脱水後（乾燥前）に取り出し、そのまま干す事でも、しわ防止効果が得られ、
手で叩いたり、伸ばしたりする手間が省ける。
【実施例】
【００１６】
〔図３〕は衣類（ズボン）に衣類しわ防止具を装着する方法を示しており、
〔図４〕は衣類（ズボン）に衣類しわ防止具を装着した実施例である。
【００１７】
〔図５〕は衣類しわ防止具と衣類（ズボン）を固定具で固定した実施例である。
【００１８】
〔図８〕は衣類しわ防止具の通気孔に固定具を、
取り外し可能な樹脂製ホック鋲で装着する方法を示した実施例である。
【００１９】
〔図１１〕は衣類しわ防止具と衣類を固定する方法を示した実施例である。
【符号の説明】
【００２０】
１  衣類しわ防止具
２  通気孔
３  ヒンジ溝
４  固定具
５  衣類（ズボン）
６  固定具の穴
７  取り外し可能樹脂製ホック鋲オス
８  取り外し可能樹脂製ホック鋲メス
９  衣類
【図１】
2018015544.tif 000003
【図２】
2018015544.tif 000004
【図３】
2018015544.tif 000005
【図４】
2018015544.tif 000006
【図５】
2018015544.tif 000007
【図６】
2018015544.tif 000008
【図７】
2018015544.tif 000009
【図８】
2018015544.tif 000010
【図９】
2018015544.tif 000011
【図１０】
2018015544.tif 000012
【図１１】
2018015544.tif 000013
(57)【要約】      （修正有）【課題】トレー型まな板において、まな板を使用して食材を切り、下ごしらえなどする際に、別に用意したトレーに移し替える必要がなく、また、食材を切った後、そのまま冷蔵庫などに入れて保存もでき、調味料を加えて簡単な調理もできる、両面まな板を提供する。【解決手段】トレーとまな板は別々になっていたものを、食材を切った後、そのまま冷蔵庫などに入れて保存もでき、調味料を加えて簡単な調理もできるよう、平らなまな板の側面に傾斜をつけ、両面使用可能なトレー型とする。【選択図】図３
2018015516.tif 000002
【特許請求の範囲】
【発明の詳細な説明】
【技術分野】
【０００１】この発明は、まな板としてもトレーとしても使える、トレー型のまな板に関するものである。
【背景技術】
【０００２】従来、トレーとまな板は別々になっていた。
【先行技術文献】
【特許文献】
【０００３】
【特許文献１】特開２０１１−０３０８４２
【特許文献２】特開２０１２−１６２３２１
【発明の概要】
【発明が解決しようとする課題】
【０００４】従来、トレーとまな板は別々になっていた。下ごしらえや保存をする際に、まな板を使用して食材を切り、トレーにのせていたので、手間や時間を要していた。
【課題を解決するための手段】
【０００５】従来の平らなまな板の形を、トレー型にする。
本発明は、以上の構成よりなるトレー型まな板（トレーでまな板）である。
【発明の効果】
【０００６】  本発明のトレー型まな板は、食材を切り、下ごしらえなどする際にトレーに移し替える必要がなく便利である。
食材を切った後、そのまま冷蔵庫などに入れて保存も出来る。また、調味料を加えて簡単な調理もできる。
両面まな板として利用できて、便利である。
【図面の簡単な説明】
【０００７】
【図１】本発明表面の断面図である。
【図２】本発明の裏面の断面図である。
【図３】本発明の傾視図である。
【発明を実施するための形態】
【０００８】以下、本発明を実施するための形態について説明する。
従来型の平らなまな板を、側面に少し傾斜をつけたトレー型のまな板にする。
本発明は、以上のような構造である。
本発明を使用するときは、トレー型まな板として使用する場合は、トレー型の内側の面で食材を切り、そのままトレーとして利用する。
外側の面も、まな板として使用できる。
【符号の説明】
【０００９】  １  トレー兼用まな板  表面
２  まな板  裏面
【図１】
2018015516.tif 000003
【図２】
2018015516.tif 000004
【図３】
2018015516.tif 000005
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
まな板としてもトレーとしても使用でき、食材を切った後、移し替えずに下ごしらえや保存、調理ができる。（図１−１、図３−１）
【請求項２】
トレー型まな板の裏面も、まな板として使える。（図２−２）
(57)【要約】      （修正有）【課題】下剤薬や便秘薬を使用しなくても腹部上皮から装置を使用し大腸へ揺れや振動を伝え大腸の蠕動運動の改善や滞留便を除去し自然な排便を促すマッサージ装置を提供する。【解決手段】体内の腹部にある大腸４へ、腹部の上皮２から揺れや振動を発生する装置１を使用して揺れや振動を発生させ、この揺れや振動が大腸に伝わり刺激して大腸の蠕動運動を助け活発に導き、且つ大腸壁に付着している滞留便をも揺れや振動で除去しつつ自然な排便を促す。【選択図】図１
2018015517.tif 000002
【特許請求の範囲】
【請求項１】
腹部体内にある大腸に、腹部の上皮から揺れや振動を発生する装置を使用し、大腸に揺れや振動を伝え刺激することで、大腸の蠕動運動を助け活発に導き、且つ大腸壁に付着している滞留便も揺れや振動で除去しつつ、自然な排便を促すことを特徴とする揺れや振動を発生する装置を使用する大腸マッサージ。
【発明の詳細な説明】
【技術分野】
【０００１】  本発明は、大腸へ揺れや振動を与えて蠕動運動を助け活発に導き、且つ大腸壁に付着する滞留便も除去しつつ、自然な排便を促すことを容易とする、揺れや振動を発生する装置を使用する大腸マッサージに関するものである。
【背景技術】
【０００２】  腸内環境は通常、適度な運動や水分摂取や食事管理により腸内環境を整えることでの自然な排便が望ましいが、それでもなお腸内環境が改善されず便秘に悩む方が多く、現在の改善方法として、手によるマッサージや下剤薬・便秘薬などの服用でしか排便出来ない問題があった。
【発明の概要】
【発明が解決しようとする課題】
【０００３】  解決しようとする問題点は、大腸の蠕動運動が弱く下剤薬や便秘薬の服用に頼る排便困難な方が多くいる点であり、薬を服用することなく自然な排便を促すことが容易にできる揺れや振動を発生する装置を使用する大腸マッサージを提供することを課題とする。
【課題を解決するための手段】
【０００４】  本発明は、体内の腹部にある大腸へ腹部の上皮から揺れや振動を発生する装置を使用して、揺れや振動を発生させ、この揺れや振動が大腸に伝わり刺激して大腸の蠕動運動を助け活発に導き、且つ大腸壁に付着している滞留便をも揺れや振動で除去しつつ自然な排便を促すことを最も主要な特徴とする。
【発明の効果】
【０００５】  本発明の揺れや振動を発生する装置を使用する大腸マッサージは、本来体が持つ大腸の蠕動運動が通常より弱くなって排便が困難な方に対して、揺れや振動を発生する装置を使用し大腸に適切な揺れや振動伝え刺激し、本来、大腸の持つ蠕動運動を助け活発に導き、且つ滞留便を揺れや振動で除去することを含め自然な排便を促すという利点がある。
【図面の簡単な説明】
【０００６】
【図１】  揺れや振動が腹部の上皮から大腸へ伝わる方向を示した説明図である。（実施例１）
【図２】  揺れや振動を発生する装置が腹部の上皮を移動する方向を示した説明図である。（実施例２）
【発明を実施するための形態】
【０００７】  排便困難な大腸の蠕動運動と滞留便を含めた自然な排便を促すという目的を揺れや振動を発生する装置を使用して、揺れや振動を大腸に伝え刺激するだけで下剤薬や便秘薬を服用せずに自然な排便を促すことを実現した。
【実施例１】
【０００８】  図１は、本発明の揺れや振動を発生する装置から発生した揺れや振動が、腹部の上皮から大腸へ伝わる方向を示した１実施例の説明図であって、１は揺れや振動を発生する装置、２は腹部上皮、３は揺れや振動が伝わる方向、４は大腸、５は腰部上皮である。【０００９】  図２は、本発明の揺れや振動を発生する装置が腹部の上皮を移動する方向を示した説明図であって、６は大腸がある腹部、７は大腸、８は揺れや振動を発生する装置の移動方向である。【００１０】  図１・図２において、本発明の主体は揺れや振動を発生する装置を使用して大腸の蠕動運動を助け活発に導き、且つ大腸壁に付着している滞留便を揺れや振動で除去しつつ自然な排便を促すことを目的とする。
【産業上の利用可能性】
【００１１】  認可が出れば、薬を使用しない便秘改善の医療として役立つ、また、健康家電製品として一般家庭へ普及が見込まれる。
【符号の説明】
【００１２】１  揺れや振動を発生する装置
２  腹部上皮
３  揺れや振動の伝わる方向
４  大腸
５  腰部上皮
６  大腸がある腹部
７  大腸
８  揺れや振動を発生する装置の移動方向
【図１】
2018015517.tif 000003
【図２】
2018015517.tif 000004
(57)【要約】【課題】粘着テープクリーナーに於いて、ゴミが付着し、粘着力がなくなった粘着テープを剥がす時、剥がす途中で粘着テープが破れ、そこから先剥がすのが厄介でイライラすることが多かった。【解決手段】柔軟性の細幅バンドの一端に留め具を備え、他端にマグネットを取り付けて形成された剥離バンドを、テープ受け側面の一方側に留め具で固定し、他方側に鉄板を取り付けた、クイック剥離式テープ受けに、粘着テープを差込み、粘着テープに剥離バンドを密着させ、掃除するところを転がしてゴミを取る。粘着力が無くなっ粘着テープは、マグネットを持って、持ち上げれば、粘着テープが途中で切れること無く簡単に剥がせ、フローリングやクッションフロア使用しても、床に貼り付くことが無いことを特徴とするクイック剥離式テープ受け。【選択図】図１
2018015512.tif 000002
【特許請求の範囲】
【請求項１】
柔軟性の細幅バンドの一端に留め具を備え、他端にマグネットを取り付けて形成された剥離バンドを、テープ受け側面の一方側に留め具で固定してあり、他方側に鉄板を取り付けてあることを、特徴とするクイック剥離式テープ受け。
【発明の詳細な説明】
【技術分野】
【０００１】  本発明は、粘着テープクリーナーのテープ受けに関するものである。
【背景技術】
【０００２】  従来の粘着テープクリーナーは、ゴミが付着し、粘着力が無くなった時、粘着テープを粘着テープの先端よりめくり、一周剥がして粘着力の無くなった部分を切り取り未使用の新しい粘着面を出して使用していた。
【発明の概要】
【発明が解決しようとする課題】
【０００３】  そのために、次のような問題点があった。
▲１▼粘着テープを剥がす際、剥がす途中で粘着テープが破れ、そこから先、剥すのが厄介であった。
▲２▼粘着テープを剥がす面に、紙屑、糸屑、髪の毛が付着すると、粘着テープを剥がすとき、その部分で破れてしまう。
▲３▼フローリングやクッションフロアーに使用すると、粘着テープが床に貼り付いてしまう。
▲４▼粘着テープにゴミが付着し、汚れた部分を剥がす位置が分かり難い。
本発明は、これらの問題点を解決するためになされたものである。
【課題を解決するための手段】
【０００４】  柔軟性の細幅バンドの一端に留め具を備え、他端にマグネットを取り付けて形成された剥離バンドを、テープ受け側面の一方側に留め具で固定してあり、他方側に鉄板を取り付けてあることを特徴とするクイック剥離式テープ受けである。
【発明の効果】
【０００５】▲１▼剥離バンドのマグネットを持って、持ち上げるだけで、粘着テープが途中で破れることなく容易に剥がせる。
▲２▼ゴミが付着した粘着テープを剥がす位置を探す必要がなく、瞬時に剥がせる。
▲３▼剥がす面に紙屑、糸屑、髪の毛が付着していても、粘着テープが破れることなく剥がせる。
▲４▼最も貼り付き易い部分に、剥離バンドが被さっているで、フローリングやクッションフロアで使用しても、粘着テープがフロアに貼り付くことがない。
▲５▼粘着テープを切取る際、剥離バンドに沿って引き裂けば、簡単に切れ、切り口もきれいに切れる。
【図面の簡単な説明】
【０００６】
【図１】本発明の斜視図
【図２】本発明の一部である剥離バンド斜視図
【図３】本発明に粘着テープを装着しようとしている状態を示す斜視図
【図４】本発明に粘着テープを装着して、剥離バンドをセットした状態を示す斜視図
【図５】従来の粘着テープクリーナーに於いて、ゴミ付着粘着テープを剥がそうとしている状態を示す斜視図
【図６】従来の粘着テープクリーナーに於いて、ゴミ付着粘着テープを切除しようとしている状態を示す斜視図
【図７】従来の粘着テープクリーナーに於いて、ゴミ付着粘着テープを剥がす際に、中途で破れてしまう情景を示す斜視図
【図８】従来の粘着テープクリーナーに於いて、剥離する面に紙屑、糸屑が付着していると、その所で粘着テープが破れてしまう情景を示す斜視図
【図９】従来の粘着テープクリーナーに於いて、粘着テープがフローリングやクッションフロアに貼り付いてしまう情景を示す斜視図
【図１０】本発明の使用に於いて、粘着テープを剥離しようとしている状態を示す斜視図
【図１１】本発明の使用に於いて、ゴミ付着粘着テープを剥がして、剥離バンドをセッテングしている状態を示す斜視図
【図１２】本発明の使用に於いて、ゴミ付着粘着テープを剥離バンドに沿って切除している状態を示す斜視図
【発明を実施するための形態】
【０００７】  以下、本発明の実施の形態を説明する。
図２のように柔軟性の細幅バンド（１）の一端に留め具（２）を取り付け、他端にマグネット（３）を取り付けて形成された、剥離バンド（４）を図１のように、テープ受け（５）側面の一方側に留め具（２）で固定し、他方側に鉄板（７）を取り付ける。
図３のように粘着テープ（８）をテープ受け（５）にはめ込み、図４のように剥離バンド（４）を粘着テープに密着させ、マグネット（３）で鉄板（７）に吸着固定する。
本発明は、以上のような構成である。
【０００８】  本発明の使用は図４の状態で取っ手（６）を持って掃除する所を転がしてゴミを粘着テープに付着させゴミを取る。
ゴミが付着して粘着力が無くなった時は、図１０のようにマグネット（３）を持ち上げて、粘着テープ剥離後、図１１のように剥離バンド（４）を粘着テープから引き離し、粘着テープのゴミ付着面（１３）と、粘着テープの新しい面（１２）の境目に剥離バンド（４）を合わせ密着する。
図１２のようにゴミ付き粘着テープを剥離バンド（４）のところまで剥がし、剥離バンド（４）に沿って粘着テープを引き裂き、図４の状態にし、これを繰り返し使用する。
【符号の説明】
【０００９】  １  柔軟性細幅バンド
２  留め具
３  マグネット
４  剥離バンド
５  テープ受け
６  取っ手
７  鉄板
８  粘着テープ
９  紙屑
１０  糸屑
１１  ゴミ付着粘着テープ
１２  粘着テープの新しい面
１３  粘着テープのゴミ付着面
【図１】
2018015512.tif 000003
【図２】
2018015512.tif 000004
【図３】
2018015512.tif 000005
【図４】
2018015512.tif 000006
【図５】
2018015512.tif 000007
【図６】
2018015512.tif 000008
【図７】
2018015512.tif 000009
【図８】
2018015512.tif 000010
【図９】
2018015512.tif 000011
【図１０】
2018015512.tif 000012
【図１１】
2018015512.tif 000013
【図１２】
2018015512.tif 000014
(57)【要約】      （修正有）【課題】鉗子のジョウの開閉操作を行うリング部のリングレバー支軸方向の角度や、指を掛ける内輪の位置が、術者の手及び指に最適な位置で接触する自在リングハンドルを提供する。【解決手段】固定部材２と、レバー固定軸３と、リングレバー４と、リング部５と、内輪６と、を有する自在リングハンドルにおいて、リング部５の内側球面と内輪６の外側球面と、を球面接触させ、内輪６を自在滑動することが可能である。また、リングレバー４に角度位置決め筒及び伸縮部材固定軸８を配設することにより、角度位置決め筒７と伸縮部材９を係合することができる。リング部５を引くことにより、角度位置決め筒７と伸縮部材９との係合を離脱させ、リング部５を支軸方向左右どちらの方向でも枢着回動させ、リング部角度固定軸１０により数段階の回動角を任意の回動位置で一時保持が可能であり、術者の手及び指が最適な位置で接触することができる。【選択図】図２
2018015514.tif 000002
【特許請求の範囲】
【請求項１】
外径及び長さが設定自在で、主軸であるシャフトに近位端すなわち後端及び遠位端すなわち先端を有し、生体内に挿入される細径挿入部と、先端部のジョウの開閉動作の操作を行うリングハンドルと、を有する鉗子であって、前記リングハンドルのリング部は、該リング部の内面に滑動する内輪と、リングハンドルのリングレバーは、支軸方向に枢着回動構造と、を形成したことを特徴とするリングハンドル。
【請求項２】
前記リングハンドルのリング部は、内側球面と、前記リング部の内面に滑動する内輪の外側球面と、を球面接触させ、内輪を自在滑動することを特徴とする請求項１記載のリングハンドル。
【請求項３】
前記リングハンドルはリングレバーの支軸方向の枢着回動は、数段階の回動角を有し、任意の回動位置を一時保持できることを特徴とする請求項１記載のリングハンドル。
【発明の詳細な説明】
【技術分野】
【０００１】  本発明は、内視鏡下等で行われる手術に用いられる細径鉗子、より詳しくは、その細径鉗子の操作性を向上させる自在リングハンドルに関する。
【背景技術】
【０００２】  内視鏡手術等に用いられる細径鉗子は従来、ハンドルとシャフトの遠位端にある鉗子のジョウ機構の操作は、ハンドルのリングレバー操作により、ジョウの開閉を行う。
【発明の概要】
【発明が解決しようとする課題】
【０００３】  内視鏡手術に用いられる細径鉗子リングハンドルは、重量軽減の一環として、比較的薄く、且つ細く、作られている。このため、鉗子のジョウを開閉させるリングハンドルに指を掛け操作を行うと、リングハンドルのリング部が術者の指に食い込み、うっ血、あるいは痛みが生じる。また、長時間の操作至っては、術者の身体負荷が増し、疲労につながっている。【０００４】  このため、内視鏡手術で細径鉗子を操作する術者の身体負荷と疲労を軽減する目的のため、指を掛けるリングハンドルのリング部を自在に可動させ、指が常に最適な位置でリングに接触できるハンドルが望まれている。
【課題を解決するための手段】
【０００５】  上記目的を達成するため、外径及び長さが設定自在で、主軸であるシャフトに近位端すなわち後端及び遠位端すなわち先端を有し、生体内に挿入される細径挿入部と、先端部のジョウの開閉動作等の操作を行うリングハンドルとを有する鉗子であって、前記リングハンドルのリング部は、該リング部の内面に滑動する内輪と、リングハンドルのリングレバーは、支軸方向に枢着回動構造と、を有している。【０００６】  前記リングハンドルのリング部は、内側球面と、前記リング部の内面に滑動する内輪の外側球面と、を球面接触させ、内輪を自在滑動できる。【０００７】  前記リングハンドルはリングレバーの支軸方向の枢着回動は、数段階の回動角を有し、任意の回動角を一時保持できる。
【発明の効果】
【０００８】  本発明によれば内視鏡手術で細径鉗子を操作する術者の負荷と疲労を軽減するため、指を掛けるリングハンドルのリング部が自在に可動し、常に最適な位置で指がリング部に接触できるハンドルが提供される。
【図面の簡単な説明】
【０００９】
【図１】本発明の一実施形態に関わる、自在リングハンドルの斜視図である。
【図２】本発明の一実施形態に関わる、自在リングハンドルの正面断面図である。
【図３】本発明の一実施形態に関わる、内輪の自在滑動状態の正面図である。
【図４】本発明の一実施形態に関わる、リング部がリングレバー支軸方向に枢着回動状態の斜視図である。
【発明を実施するための形態】
【００１０】  以下、自在リングハンドルの一実施形態について、図１から図４を参照しながら説明する。図１に示すように、固定部材２と、レバー固定軸３と、リングレバー４と、リング部５と、内輪６と、を有する。
【００１１】  図２及び図３に示すように、前記リング部５の内側球面と前記内輪６の外側球面と、を球面接触させ、内輪６を自在滑動することができる。
【００１２】  図２及び図４に示すように、前記リングレバー４に角度位置決め筒及び伸縮部材固定軸８を配設することにより、角度位置決め筒７と伸縮部材９とを係合することができる。
リング部５を引くことにより、角度位置決め筒７と伸縮部材９との係合を離脱させ、リング部５を支軸方向左右どちらの方向でも枢着回動させ、リング部角度固定軸１０により数段階の回動角を任意の回動位置で一時保持できる。
【実施形態の効果】
【００１３】  固定部材、レバー固定軸と、リングレバーと、リング部と、内輪と、を有している。
【００１４】  前記リング部の内側球面と前記内輪の外側球面と、を球面接触させ、内輪が自在滑動する。
【００１５】  前記リングレバーに角度位置決め筒及び伸縮部材固定軸を配設することにより、角度位置決め筒と伸縮部材とを係合することができる。
リング部５を引くことにより、角度位置決め筒７と伸縮部材９との係合を離脱させ、リング部５を支軸方向左右どちらの方向でも枢着回動させ、リング部角度固定軸１０により数段階の回動角を任意の回動位置で一時保持できる。
【産業上の利用可能性】
【００１６】  本発明に係る自在リングハンドルは、内視鏡手術に用いられる細径鉗子のリングハンドルへの適用を主目的としているが、他リングハンドルにも利用可能である。
【符号の説明】
【００１７】  １．リングハンドル
２．固定部材
３．レバー固定軸
４．リングレバー
５．リング部
６．内輪
７．角度位置決め筒
８．角度位置決め筒及び伸縮部材固定軸
９．伸縮部材
１０．リング部角度固定軸
【図１】
2018015514.tif 000003
【図２】
2018015514.tif 000004
【図３】
2018015514.tif 000005
【図４】
2018015514.tif 000006
(57)【要約】      （修正有）【課題】だし巻き卵を作る時には、卵汁を何度かに分け薄く伸ばし、箸やターナーで丸めて繰り返し焼いていく。その都度油を含ませた紙や油ひき器具を用いなくてはならない。また、綺麗な円柱形の卵焼きを作るのは経験や技術が必要である。本発明は、料理経験の少ない、子供、若い女性、不器用な人にも簡単に卵焼きが作れるものを提供する。【解決手段】ターナー１の先を丸く曲げ、卵に添わせると、円柱形の卵焼きができあがる。ターナーの裏に、紙を挟む垂れ５を設け、垂れの先をくの字曲げ、耐熱ゴム３を貼り、垂れの下半分をターナーに貼り付け、上部にギザギザの凸穴を開け、紙を滑り抜けづらくし、ターナーと垂れの間に紙を差し込み、耐熱ゴムに被せ油ひきとして使用可能にし、ターナーを裏返すと油ひきができるので時間が短縮され、簡単に卵焼きが出来上がるようにした。【選択図】図４
2018015511.tif 000002
【特許請求の範囲】
【請求項１】
ターナーを丸く曲げ、裏に垂れを設け、下半分をターナーに貼り付けた卵焼きターナー。
【請求項２】
垂れの上部をくの字に折り、耐熱ゴムを貼り付けた請求項１の卵焼きターナー。
【請求項３】
ターナーに貼り付けていない垂れの上半分の中央と、くの字に折り曲げた部分の横一列にギザギザの凸の穴を内側に向け数個開けた請求項１，請求項２の卵焼きターナー。
【請求項４】
丸く曲げたターナーと油ひき器具を合体した請求項１、請求項２、請求項３の卵焼きターナー。
【発明の詳細な説明】
【技術分野】
【０００１】  本発明は、だし巻き卵、厚焼き玉子を焼くとき、丸く形成できるターナーと油ひき器具を合体させた、卵焼きターナーに関したものである。
【背景技術】
【０００２】  従来、だし巻き卵や厚焼き玉子を作る時は、箸や、ターナーを使って卵汁を何度かに分け、薄く伸ばし、丸く形成し、その都度他の容器に置いている、油を含ませた紙や布や油ひき器を用いて、卵焼き器に油をひき、卵汁を注ぎ入れ、繰り返し薄く重ねて巻いていた。
【発明の概要】
【発明が解決しようとする課題】
【０００３】  だし巻き卵、厚焼き玉子を作ろうとすると、何度も焼いている途中で油をひかなくてはならない。その都度箸、ターナーなどを一端置いて油ひきに手を持ち替え、油をひき終わると再び元の箸、ターナーに持ち替えると言う作業が面倒であった。
また、綺麗に円柱形や四角柱に仕上げるには経験や技術が必要だった。
本発明は、以上の問題点を解決するためになされたものである。
【問題を解決するための手段】
【０００４】  （イ）ターナーを丸く曲げると、卵を焼き重ねていく過程で、ターナーを卵に添えるだけで、ターナーの丸みがそのまま卵の形に自然になり、簡単に整った円柱形の卵焼きが出来上がる。四角柱にする場合はターナーの裏を使う。
（ロ）ターナーの裏にターナーと同じ巾の垂れを貼り付け、その先をくの字に曲げ、内側の横一列にギザギザの凸の穴を数個開け、上に耐熱ゴムを貼り付ける。
ターナーと垂れの間にペーパーを差し込み耐熱ゴムに巻く。
以上の構成よりなる卵焼きターナー。
【発明の効果】
【０００５】  従来、卵焼きを作る過程で、油をひく都度、油ひき器具を使用したり、油を含ませたペーパー等を箸などで挟んで卵焼き器に油をひく煩わしい作業が、本発明によりターナーを裏返すだけで油をひくことができる。
本発明は、卵を焼きながらターナーを添えるだけで、円柱形の卵焼きを簡単に作ることができる。
【図面の簡単な説明】
【０００６】
【図１】  本発明の使用状態を示した斜視図
【図２】  本発明の正面図
【図３】  本発明の背面図
【図４】  本発明の側面図
【図５】  本発明のターナーと垂れの合体した状態を示した図
【図６】  本発明の垂れのギザギザの凸の穴開き部分を示した図
【図７】  本発明にペーパーを差し込んだ時の状態を示した図
【図８】  本発明にペーパーをナイフの先で装着する状態を示した図
【図９】  本発明にペーパーを装着完了の状態を示した図
【図１０】  本発明で円柱形の卵焼きを作る状態を示した図
【図１１】  本発明で卵焼きを持ち上げた状態を示した図
【図１２】  本発明で焼いた卵焼きの出来上がりを示した図
【発明を実施するための形態】
【０００７】  以下、本発明の実施の形態を説明する。
（イ）  ターナー（１）に、蒸気穴（２）を開ける。
（ロ）  ターナー（１）を丸く曲げる。
（ハ）  ターナー（１）裏面に垂れ（５）の下半分を貼り付け、先の部分はくの字に折り、耐熱ゴム（３）を貼り付ける。
ターナーがポリプロピレン等の場合は、耐熱ゴム（３）を貼り付けず、垂れ（５）と耐熱ゴム（３）を一体化し、耐熱ゴム（３）を貼った状態と同じ形のポリプロピレ等の垂れ（５）にする。
（ニ）  ターナー（１）に貼り付けていない垂れ（５）の上半分の中央と耐熱ゴム（３）の裏にギザギザの凸穴（６）を横一列に数個開ける。
本発明は、以上のような構造である。
本発明を使用するときは、図７で示すように重ねたペーパー（７）をターナー（１）と垂れ（５）の間に差し込み、残ったペーパー（７）を、垂れ（５）のくの字に折り耐熱ゴム（３）を貼った部分に巻き付ける。
耐熱ゴム（３）の下にナイフ、フォーク、包丁などの先の部分を使って差し込む。
この時、垂れ（５）に付けている大根おろしのようなギザギザの凸穴（６）がペーパー（７）に絡み、ターナー（１）に装着したペーパー（７）を外れにくくする。
耐熱ゴム（３）を付けたことで、耐熱ゴム（３）が適度なクッションになり、ペーパー（７）にクッション性を持たせ、油を楽に均等に卵焼き器の隅々まで届かせることができる。
小さなお皿等の容器に少量の油を入れ、耐熱ゴム（３）に巻き付けたペーパー（７）を浸したり、ペーパー（７）にスポイトで油をさしたり、スプーンに入れた油をたらして、ペーパー（７）に油を染み込ませ、油ひき器具として使用する。
また、ペーパー（７）の巾は、耐熱ゴム（３）より少し広くして、卵焼き器の角まで油が引けるようにする。
卵を焼いていく過程では、ターナー（１）の先の丸く曲げた部分を使用し、卵汁をそそぎいれるたび、卵にターナー（１）の先を添わせ丸く形付けていくと、断面が真円に近い円柱形の卵焼きが出来上がる。
四角柱の卵焼きを作るときは、ターナー（１）の先の裏を使い卵を形成する。
【符号の説明】  １・・・ターナー、２・・・蒸気抜き穴、３・・・耐熱ゴム、４・・・柄、５・・・垂れ、６・・・ギザギザの凸穴、７・・・ペーパー、８・・・ナイフ、９・・・卵焼き器、１０・・・円柱形卵焼き。
【図１】
2018015511.tif 000003
【図２】
2018015511.tif 000004
【図３】
2018015511.tif 000005
【図４】
2018015511.tif 000006
【図５】
2018015511.tif 000007
【図６】
2018015511.tif 000008
【図７】
2018015511.tif 000009
【図８】
2018015511.tif 000010
【図９】
2018015511.tif 000011
【図１０】
2018015511.tif 000012
【図１１】
2018015511.tif 000013
【図１２】
2018015511.tif 000014